(57)【要約】【課題】匿名性を確保しつつ、利便性の向上を図ることができる通信制御システムを提供する。【解決手段】通信制御システム１では、端末２ａから非通知設定で端末２ｂに発信された場合に、端末２ａを一意に特定可能とするテンポラリＩＤを生成し、テンポラリＩＤに基づいて端末２ａの電話番号を含まない発信要求情報を生成して端末２ｂに送信する。そして、端末２ｂが着信履歴からテンポラリＩＤを宛先として発信すると、テンポラリＩＤに基づいて端末２ａの電話番号が取得されて端末２ａに発信要求情報が送信される。従って、端末２ｂは、非通知設定で着信を受けた場合でもテンポラリＩＤ宛てに発信することで端末２ａに発信することができる。また、端末２ａは、端末２ｂに自機の電話番号を通知しなくとも、折り返し電話を受けることができる。従って、匿名性を確保しつつ、利便性の向上を図ることができる。【選択図】図１
2011071741.tif 000002
【特許請求の範囲】
【請求項１】
第１の移動通信端末から第２の移動通信端末への発信の要求に応じて送信され、前記第１の移動通信端末の電話番号及び前記第２の移動通信端末の電話番号を含む第１発信要求情報を受信する第１発信要求受信手段と、
前記第１発信要求受信手段によって前記第１発信要求情報が受信された場合に、前記第１の移動通信端末の電話番号を一意に特定可能にする識別情報を生成する識別情報生成手段と、
前記識別情報生成手段によって生成された前記識別情報と前記第１の移動通信端末の電話番号及び前記第２の移動通信端末の電話番号とを対応付けて保持する識別情報保持手段と、
前記識別情報生成手段によって生成された前記識別情報に基づいて、前記第１の移動通信端末の電話番号を含まない第２発信要求情報を生成し、当該第２発信要求情報を前記第２の移動通信端末に送信する第１発信要求送信手段と、
前記第１発信要求送信手段によって前記第２の移動通信端末に前記第２発信要求情報が送信された後に、前記第２の移動通信端末から前記識別情報宛ての発信の要求に応じて送信される第３発信要求情報を受信する第２発信要求受信手段と、
前記第２発信要求受信手段によって受信された前記第３発信要求情報に含まれる前記識別情報に基づいて前記識別情報保持手段を参照し、当該識別情報保持手段から前記第１の移動通信端末の電話番号を取得する電話番号取得手段と、
前記電話番号取得手段によって取得された前記第１の移動通信端末の電話番号に基づいて、当該第１の移動通信端末宛ての第４発信要求情報を生成し、当該第４発信要求情報を前記第１の移動通信端末に送信する第２発信要求送信手段と、
を備えることを特徴とする通信制御システム。
【請求項２】
前記第１発信要求受信手段によって受信された前記第１発信要求情報に、前記第１の移動通信端末の電話番号を前記第２の移動通信端末に通知しないことを示す非通知設定情報が含まれているか否かを判断する判断手段を更に備え、
前記識別情報生成手段は、前記判断手段によって前記第１発信要求情報に前記非通知設定情報が含まれていると判断された場合に、前記識別情報を生成することを特徴とする請求項１記載の通信制御システム。
【請求項３】
前記非通知設定情報には、前記第２の移動通信端末から前記第１の移動通信端末への発信を制限するための制限情報が更に含まれており、
前記第２発信要求受信手段によって前記第２発信要求情報が受信された場合に、前記非通知設定情報に含まれている前記制限情報の有効性を確認する有効性確認処理手段を更に備え、
前記電話番号取得手段は、前記有効性確認処理手段によって前記制限情報の有用性が確認された場合に、前記第１の移動通信端末の電話番号を取得することを特徴とする請求項１又は２記載の通信制御システム。
【請求項４】
前記第２発信要求送信手段によって前記第４発信要求情報が送信されたことに応じて前記第１の移動通信端末から送信される応答情報を受信する応答情報受信手段と、
前記応答情報受信手段によって前記応答情報が受信された場合に、前記第１の移動通信端末と前記第２の移動通信端末との呼接続を確立する呼接続確立手段と、
前記呼接続確立手段によって前記第１の移動通信端末と前記第２の移動通信端末の呼接続を確立したことに応じて、前記呼接続確立手段から送信される呼接続確立情報を受信する呼接続情報受信手段と、
前記呼接続情報受信手段によって前記呼接続確立情報が受信された場合に、当該呼接続確立情報に基づいて前記制限情報を更新する制限情報更新手段と、
を更に備えることを特徴とする請求項３記載の通信制御装置。
【請求項５】
第１の移動通信端末から第２の移動通信端末への発信の要求に応じて送信され、前記第１の移動通信端末の電話番号及び前記第２の移動通信端末の電話番号を含む第１発信要求情報を受信する第１発信要求受信ステップと、
前記第１発信要求受信ステップにおいて前記第１発信要求情報が受信された場合に、前記第１の移動通信端末の電話番号を一意に特定可能にする識別情報を生成する識別情報生成ステップと、
前記識別情報生成ステップにおいて生成された前記識別情報と前記第１の移動通信端末の電話番号及び前記第２の移動通信端末の電話番号とを対応付けて識別情報保持手段に保持する識別情報保持ステップと、
前記識別情報生成ステップにおいて生成された前記識別情報に基づいて、前記第１の移動通信端末の電話番号を含まない第２発信要求情報を生成し、当該第２発信要求情報を前記第２の移動通信端末に送信する第１発信要求送信ステップと、
前記第１発信要求送信ステップにおいて前記第２の移動通信端末に前記第２発信要求情報が送信された後に、前記第２の移動通信端末から前記識別情報宛ての発信の要求に応じて送信される第３発信要求情報を受信する第２発信要求受信ステップと、
前記第２発信要求受信ステップにおいて受信された前記第３発信要求情報に含まれる前記識別情報に基づいて前記識別情報保持手段を参照し、当該識別情報保持手段から前記第１の移動通信端末の電話番号を取得する電話番号取得ステップと、
前記電話番号取得ステップにおいて取得された前記第１の移動通信端末の電話番号に基づいて、当該第１の移動通信端末宛ての第４発信要求情報を生成し、当該第４発信要求情報を前記第１の移動通信端末に送信する第２発信要求送信ステップと、
を含むことを特徴とする通信制御方法。
【発明の詳細な説明】
【技術分野】
【０００１】
本発明は、通信制御システム及び通信制御方法に関する。
【背景技術】
【０００２】
従来から、自機の電話番号を相手に通知しない設定、すなわち非通知設定による発信が知られている。この非通知設定による発信では、発信先の電話番号に非通知番号（１８４）を付加して発信することにより、自機の電話番号を着信側の端末に通知することなく通信を行うことができる（例えば、特許文献１参照）。
【先行技術文献】
【特許文献】
【０００３】
【特許文献１】特開２００４−１７９７４８号公報
【発明の概要】
【発明が解決しようとする課題】
【０００４】
ところで、発側端末が非通知設定で発信した場合において、着側端末が応答できないときには、着側端末の着信履歴に発側端末の電話番号は表示されない。このような場合、着信を受けたユーザは、当然、発側端末に対して折り返し電話をかけることができない。しかしながら、非通知設定で着信を受けたユーザは、不在着信の相手や電話の内容が気になることがある。一方、発側端末では、自機の電話番号を相手に通知したくはないが、折り返し電話をもらいたい場合もある。そこで、発側端末から着側端末が非通知設定で着信を受け、着側端末の着信履歴に発側端末の電話番号が残らない（表示されない）場合であっても、着側端末から折り返し発側端末に電話をかけ直すことができるシステムが求められている。
【０００５】
本発明は、上記課題解決のためになされたものであり、匿名性を確保しつつ、利便性の向上を図ることができる通信制御システム及び通信制御方法を提供すること目的とする。
【課題を解決するための手段】
【０００６】
上記課題を解決するために、本発明に係る通信制御システムは、第１の移動通信端末から第２の移動通信端末への発信の要求に応じて送信され、第１の移動通信端末の電話番号及び第２の移動通信端末の電話番号を含む第１発信要求情報を受信する第１発信要求受信手段と、第１発信要求受信手段によって第１発信要求情報が受信された場合に、第１の移動通信端末の電話番号を一意に特定可能にする識別情報を生成する識別情報生成手段と、識別情報生成手段によって生成された識別情報と第１の移動通信端末の電話番号及び第２の移動通信端末の電話番号とを対応付けて保持する識別情報保持手段と、識別情報生成手段によって生成された識別情報に基づいて、第１の移動通信端末の電話番号を含まない第２発信要求情報を生成し、第２発信要求情報を第２の移動通信端末に送信する第１発信要求送信手段と、第１発信要求送信手段によって第２の移動通信端末に第２発信要求情報が送信された後に、第２の移動通信端末から識別情報宛ての発信の要求に応じて送信される第３発信要求情報を受信する第２発信要求受信手段と、第２発信要求受信手段によって受信された第３発信要求情報に含まれる識別情報に基づいて識別情報保持手段を参照し、識別情報保持手段から第１の移動通信端末の電話番号を取得する電話番号取得手段と、電話番号取得手段によって取得された第１の移動通信端末の電話番号に基づいて、第１の移動通信端末宛ての第４発信要求情報を生成し、第４発信要求情報を第１の移動通信端末に送信する第２発信要求送信手段と、を備えることを特徴とする。
【０００７】
この通信制御システムでは、第１の移動通信端末から第２の移動通信端末に発信された際、第１の移動通信端末の電話番号を一意に特定可能にする識別情報を生成し、この識別情報に基づいて第１の移動通信端末の電話番号を含まない第２発信要求情報を生成して、この第２発信要求情報を第２の移動通信端末に送信する。そして、第２の移動通信端末が例えば不在着信履歴から識別情報を宛先として発信すると、その識別情報に基づいて識別情報保持手段を参照して第１の移動通信端末の電話番号を取得し、第１の移動通信端末に発信要求情報が送信される。従って、第２の移動通信端末では、第１の移動通信端末の電話番号を知らなくても、識別情報に基づいて第１の移動通信端末の電話番号が取得されて第１の移動通信端末に発信要求情報が送信されるので、識別情報宛てに発信することで第１の移動通信端末に折り返し発信することが可能となる。また、第１の移動通信端末では、第２の移動通信端末に自機の電話番号を通知しなくとも、折り返し電話を受けることができる。従って、匿名性を確保しつつ、利便性の向上を図ることができる。
【０００８】
また、本発明に係る通信制御システムは、第１発信要求受信手段によって受信された第１発信要求情報に、第１の移動通信端末の電話番号を第２の移動通信端末に通知しないことを示す非通知設定情報が含まれているか否かを判断する判断手段を更に備え、識別情報生成手段は、判断手段によって第１発信要求情報に非通知設定情報が含まれていると判断された場合に、識別情報を生成することが好ましい。このように、非通知設定情報が含まれているか否かを判断することにより、第１の移動通信端末において非通知設定が行われている場合には、確実に識別情報を生成することができる。これにより、第２移動通信端末において、第１移動通信端末への折り返し発信を確実に行うことができる。
【０００９】
また、本発明に係る通信制御システムは、非通知設定情報には、第２の移動通信端末から第１の移動通信端末への発信を制限するための制限情報が更に含まれており、第２発信要求受信手段によって第２発信要求情報が受信された場合に、非通知設定情報に含まれている制限情報の有効性を確認する有効性確認処理手段を更に備え、電話番号取得手段は、有効性確認処理手段によって制限情報の有用性が確認された場合に、第１の移動通信端末の電話番号を取得することが好ましい。この場合には、第２の移動通信端末から第１の移動通信端末への折り返し発信が制限されるので、例えば制限情報において折り返し発信が１回に制限されている場合には、第２の移動通信端末から第１の移動通信端末への折り返し発信が１回に限定される。これにより、必要以上に折り返し発信が行われることを防止できるので、更に利便性の向上を図ることができる。
【００１０】
また、本発明に係る通信制御システムは、第２発信要求送信手段によって第４発信要求情報が送信されたことに応じて第１の移動通信端末から送信される応答情報を受信する応答情報受信手段と、応答情報受信手段によって応答情報が受信された場合に、第１の移動通信端末と第２の移動通信端末との呼接続を確立する呼接続確立手段と、呼接続確立手段によって第１の移動通信端末と第２の移動通信端末の呼接続を確立したことに応じて、呼接続確立手段から送信される呼接続確立情報を受信する呼接続情報受信手段と、呼接続情報受信手段によって呼接続確立情報が受信された場合に、呼接続確立情報に基づいて制限情報を更新する制限情報更新手段と、を更に備えることが好ましい。この場合には、第２の移動通信端末から第１の移動通信端末への折り返し発信により呼接続が確立したときには、例えば折り返し発信の有効回数等といった制限情報が更新されるので、必要以上に第２の移動通信から第１の移動通信端末への折り返し発信が行われることを防止することができる。従って、更に利便性の向上を図ることができる。
【００１１】
本発明は、上記のように通信制御システムの発明として記述できる他に、以下のように通信制御方法の発明としても記述することができる。これはカテゴリが異なるだけで、実質的に同一の発明であり、同様の作用及び効果を奏する。
【００１２】
即ち、本発明に係る通信制御方法は、第１の移動通信端末から第２の移動通信端末への発信の要求に応じて送信され、第１の移動通信端末の電話番号及び第２の移動通信端末の電話番号を含む第１発信要求情報を受信する第１発信要求受信ステップと、第１発信要求受信ステップにおいて第１発信要求情報が受信された場合に、第１の移動通信端末の電話番号を一意に特定可能にする識別情報を生成する識別情報生成ステップと、識別情報生成ステップにおいて生成された識別情報と第１の移動通信端末の電話番号及び第２の移動通信端末の電話番号とを対応付けて識別情報保持手段に保持する識別情報保持ステップと、識別情報生成ステップにおいて生成された識別情報に基づいて、第１の移動通信端末の電話番号を含まない第２発信要求情報を生成し、第２発信要求情報を第２の移動通信端末に送信する第１発信要求送信ステップと、第１発信要求送信ステップにおいて第２の移動通信端末に第２発信要求情報が送信された後に、第２の移動通信端末から識別情報宛ての発信の要求に応じて送信される第３発信要求情報を受信する第２発信要求受信ステップと、第２発信要求受信ステップにおいて受信された第３発信要求情報に含まれる識別情報に基づいて識別情報保持手段を参照し、識別情報保持手段から第１の移動通信端末の電話番号を取得する電話番号取得ステップと、電話番号取得ステップにおいて取得された第１の移動通信端末の電話番号に基づいて、第１の移動通信端末宛ての第４発信要求情報を生成し、第４発信要求情報を第１の移動通信端末に送信する第２発信要求送信ステップと、を含むことを特徴とする。
【発明の効果】
【００１３】
本発明によれば、匿名性を確保しつつ、利便性の向上を図ることができる。
【図面の簡単な説明】
【００１４】
【図１】本発明の一実施形態に係る通信制御システムの構成を示す構成図である。
【図２】ＣＳＣＦのハードウェア構成を示す図である。
【図３】移動通信端末の構成を示すブロック図である。
【図４】移動通信端末の構成を示すブロック図である。
【図５】移動通信端末のディスプレイの表示の一例を示す図である。
【図６】移動通信端末のディスプレイの表示の一例を示す図である。
【図７】ＣＳＣＦの構成を示すブロック図である。
【図８】ＣＳＣＦの構成を示すブロック図である。
【図９】ＩＤ管理装置の構成を示すブロック図である。
【図１０】データ保存部に記憶されているデータの一例を示す図である。
【図１１】通信制御システムにおける処理を示すシーケンス図である。
【図１２】通信制御システムにおける処理を示すシーケンス図である。
【図１３】ＩＤ管理装置における有効性確認処理を示すフローチャートである。
【図１４】変形例に係る移動通信端末のディスプレイの表示の一例を示す図である。
【発明を実施するための形態】
【００１５】
以下、図面を参照しながら、本発明の好適な実施形態について詳細に説明する。なお、説明において、同一要素又は同一機能を有する要素には、同一符号を用いることとし、重複する説明は省略する。
【００１６】
図１は、本発明の一実施形態に係る通信制御システムの構成を示す構成図である。図１に示すように、通信制御システム１は、移動通信端末２ａと移動通信端末２ｂとの間の呼の通信制御（確立や切断など）を実行するネットワークシステムである。この通信制御システム１は、移動通信端末２ａと、この移動通信端末２ａが在圏する第１コアネットワークＮ１と、移動通信端末２ｂと、この移動通信端末２ｂが在圏する第２コアネットワークＮ２と、第１コアネットワークＮ１と第２コアネットワークＮ２とをつなぐネットワークＮとから構成されている。なお、図１では説明の簡単のために移動通信端末２ａ，２ｂ及び第１及び第２コアネットワークＮ１，Ｎ２を二つのみ示しているが、第１及び第２コアネットワークＮ１，Ｎ２及び移動通信端末２ａ，２ｂの個数は限定されない。また、コアネットワークＮ，Ｎ１，Ｎ２は、本実施形態ではＩＭＳ（IP Multimedia Subsystem）を用いた形態とするが、ＩＭＳに限定するものではなく、携帯電話間の通信を確立可能な第三世代携帯電話のコアネットワークなどでもよい。
【００１７】
第１コアネットワークＮ１は、ＲＮＣ（Radio Network Controller）３ａと、ＣＳＣＦ（Call Session Control Function）４ａと、ＨＳＳ（HomeSubscriber Server）５ａとを備えている。第２コアネットワークＮ２は、第１コアネットワークＮ１と同様に、ＲＮＣ３ｂと、ＣＳＣＦ４ｂと、ＨＳＳ５ｂとを備えている。また、ネットワークＮは、ＩＤ管理装置６を備えている。なお、図示しないが、第１及び第２コアネットワークＮ１，Ｎ２には、ＡＳ（ApplicationServer）と呼ばれるサービス制御装置、ＣＳ−ＧＷ（Circuit Switched Gateway）と呼ばれるゲートウェイノード等が更に設けられている。
【００１８】
移動通信端末２ａ，２ｂは、例えば携帯電話機であり、自機が在圏する無線エリアをカバーする基地局（図示しない）と無線通信を行い、移動体通信網（ネットワーク）に接続して、ユーザの操作に応じて、移動体通信網における通話サービス又はパケット通信サービスを受ける通信端末である。この移動通信端末２ａ，２ｂでは、発信先の移動通信端末に対して自機の電話番号を通知／非通知と変更することができる機能を有している。具体的には、移動通信端末２ａ，２ｂでは、発信先の電話番号に非通知番号（１８４）を付加することにより、自機の電話番号が非通知となるように設定している。
【００１９】
ＲＮＣ３ａ，３ｂは、基地局と接続されており、各基地局に対して、移動通信端末２ａ，２ｂとの間の無線回線の設定や基地局のハンドオーバ制御等を行う無線ネットワーク制御装置である。
【００２０】
ＣＳＣＦ４ａ，４ｂは、呼セッションの設定（電話の発着信の制御）をＳＩＰ（Session Initiation Protocol）を用いて実行したり、図示しないＡＳにアクセスして所定のサービスを起動したりする呼制御装置である。このＣＳＣＦ４ａ，４ｂは、発側の移動通信端末から受信した発信要求情報から着側の移動通信端末のユーザ識別子（電話番号等）を抽出し、抽出したユーザ識別子を含むプロファイルを対応するＨＳＳ５ａ，５ｂから取得する。続いて、ＣＳＣＦ４ａ，４ｂは、取得したプロファイルに含まれるＣＳＣＦアドレス情報（後述）に基づいて、発信要求情報を他のＣＳＣＦに出力する。なお、実際には、ＣＳＣＦ４ａ，４ｂは機能毎にＰ−ＣＳＣＦ（Proxy-Call/SessionControl Function）、Ｉ−ＣＳＣＦ（Interrogating-Call/ Session Control Function）、Ｓ−ＣＳＣＦ（Serving-Call/Session Control Function）に分かれるが、本実施形態ではこれらをまとめてＣＳＣＦ４ａ，４ｂとして表す。
【００２１】
ＨＳＳ５ａ，５ｂは、移動通信端末２ａ，２ｂのユーザに関するプロファイル（加入者情報）を記憶するデータベースサーバである。プロファイルは、ユーザ識別子（例えば、ユーザＩＤや電話番号等）によって識別され、位置情報、ＣＳＣＦアドレス情報、ＡＳアドレス情報、ゲートウェイアドレス情報、ローミングアウト情報等を含む情報である。プロファイルは、移動通信端末２ａ，２ｂがＣＳＣＦ４ａ，４ｂに接続した際に、その時点の移動通信端末２ａ，２ｂの位置情報に基づいて随時更新される。なお、ＣＳＣＦアドレス情報、ＡＳアドレス情報及びゲートウェイアドレス情報は、移動通信端末２ａ，２ｂが現在使用しているＣＳＣＦ４ａ，４ｂ、ＡＳ及びＣＳ−ＧＷのアドレスをそれぞれ示す情報である。
【００２２】
ＩＤ管理装置６は、テンポラリＩＤを管理するサーバ装置である。このテンポラリＩＤは、移動通信端末２ａ，２ｂの電話番号を一意に特定可能な情報である。ＩＤ管理装置６は、ＣＳＣＦ４ａ，４ｂからの要求に応じて、テンポラリＩＤを生成すると共にそのテンポラリＩＤに移動通信端末２ａ，２ｂの電話番号を対応付けて保持する。なお、図１では、ＩＤ管理装置６を一つしか示していないが、ＩＤ管理装置６の個数は限定されない。この場合には、個々のＩＤ管理装置間でそれぞれの情報を共有する。
【００２３】
図２は、ＣＳＣＦ４ａ，４ｂのハードウェア構成を示す図である。図２に示すように、ＣＳＣＦ４ａ，４ｂは、ＣＰＵ４１、主記憶装置であるＲＡＭ４２及びＲＯＭ４３、ネットワークカード等のデータ送受信デバイスである通信モジュール４４、ハードディスク等の補助記憶装置４５等のハードウェアを備えるコンピュータとして構成される。これらの構成要素が動作することにより、ＣＳＣＦ４ａ，４ｂの後述する機能が発揮される。なお、ＩＤ管理装置６も、ＣＳＣＦ４ａ，４ｂと同様のハードウェア構成を有している。
【００２４】
続いて、移動通信端末２ａ，２ｂ、ＣＳＣＦ４ａ，４ｂ及びＩＤ管理装置６の機能について説明する。
【００２５】
まず、移動通信端末２ａ，２ｂについて図３及び図４を参照しながら説明する。なお、以下の説明では、説明の便宜上、移動通信端末２ａを発側端末、移動通信端末２ｂを着側端末とし、それぞれの端末毎に機能を説明する。もちろん、移動通信端末２ａ，２ｂは、発信側及び着信側のいずれの機能も有している。
【００２６】
（発信側移動通信端末）
図３は、発信側の移動通信端末２ａの構成を示すブロック図である。同図に示すように、発信側の移動通信端末２ａは、非通知設定部２０１と、発信要求送信部２０２と、発信要求受信部２０３と、応答部２０４とを備えている。なお、移動通信端末２ａは、通話を行うための通話機能や通信を行うための通信機能等を更に備えている。
【００２７】
非通知設定部２０１は、ユーザの操作により自機の電話番号を非通知にする設定を行う部分である。非通知設定部２０１は、発信が行われる際に入力部（例えば、操作キー）から入力された内容に応じて、非通知設定情報を生成する。具体的には、図５を参照しながら説明する。
【００２８】
図５は、移動通信端末２ａのディスプレイの表示の一例を示す図である。図５（ａ）に示すように、移動通信端末２ａのディスプレイＤには、発信する際に、発信先の「名前」、「電話番号」、「発信」、「非通知発信」が表示される。このとき、「発信」を選択すると、通常の発信制御が行われる。一方、ユーザによって「非通知発信」が選択された場合には、図５（ｂ）に示す画面に遷移する。図５（ｂ）に示すように、「非通知発信」が選択されると、ディスプレイＤに非通知設定メニューが表示される。この非通知設定メニューには、「折り返し設定」、「折り返し可能回数」、「折り返し有効期限」の項目が表示される。
【００２９】
「折り返し設定」は、番号非通知設定での発信に対して相手から折り返しの発信を許可するかを設定する項目であり、「許可」、「不可」がユーザによって選択されることにより折り返し発信の許可／不可が設定される。「折り返し可能回数」は、相手からの折り返し発信を許容する回数を設定する項目であり、プルダウンメニューからユーザにより回数が選択されることで折り返し発信の有効回数が設定される。「折り返し有効期限」は、相手からの折り返し発信を許容する期限を設定する項目であり、プルダウンメニューからユーザにより有効期限が選択されることで折り返し発信の有効期限が設定される。
【００３０】
非通知設定部２０１は、上記の画面においてユーザから入力された内容に応じて、非通知設定情報の生成を行う。すなわち、非通知設定部２０１は、「折り返し設定」の「許可」／「不可」の何れかを示す折り返し情報、「折り返し可能回数」を示す回数情報、「折り返し有効期限」を示す期限情報を含む非通知設定情報を生成する。非通知設定部２０１は、非通知番号（１８４）を含む非通知設定情報を生成して発信要求送信部２０２に出力する。なお、折り返し情報、回数情報及び期限情報は、移動通信端末２ｂから移動通信端末２ａへの発信を制限する制限情報である。
【００３１】
発信要求送信部２０２は、発信要求情報を送信する部分である。発信要求送信部２０２は、非通知設定部２０１から非通知設定情報を受け取ると、この非通知設定情報と移動通信端末２ａ，２ｂのユーザ識別子（電話番号等）を含む発信要求情報をＣＳＣＦ４ａに送信する。また、発信要求送信部２０２は、移動通信端末２ｂへの通常の発信が行われた場合には、非通知設定情報を含まない発信要求情報をＣＳＣＦ４ａに送信する。
【００３２】
発信要求受信部２０３は、発信要求情報を受信する部分である。発信要求受信部２０３は、ＣＳＣＦ４ａから発信要求情報を受信する。発信要求受信部２０３は、受信した発信要求情報を制御部（図示しない）に出力する。これにより、移動通信端末２ａの着信制御（呼出）が行われる。なお、この着信制御は、後述の移動通信端末２ｂからの折り返し発信を受けた場合の制御である。
【００３３】
応答部２０４は、ＣＳＣＦ４ａから送信された発信要求情報に応答する部分である。応答部２０４は、発信要求受信部２０３により発信要求情報が受信され、これに応じてユーザが着信に対応した場合に、ＣＳＣＦ４ａに応答情報を送信する。
【００３４】
（着信側移動通信端末）
図４は、着信側の移動通信端末２ｂの構成を示すブロック図である。同図に示すように、着信側の移動通信端末２ｂは、発信要求受信部２０５と、折り返し発信要求設定部２０６と、折り返し発信要求部送信２０７とを備えている。
【００３５】
発信要求受信部２０５は、発信要求情報を受信する部分である。発信要求受信部２０５は、ＣＳＣＦ４ｂから送信されるテンポラリＩＤを含む発信要求情報をＲＮＣ３ｂを介して受信する。発信要求受信部２０５は、受信した発信要求情報を制御部（図示しない）に出力する。これにより、移動通通信端末２ｂの着信制御が制御部によって行われる。
【００３６】
折り返し発信要求設定部２０６は、移動通信端末２ｂの着信履歴からユーザの操作に応じて折り返し発信要求情報を生成する部分である。折り返し発信要求設定部２０６は、着信履歴において非通知設定の移動通信端末２ａに対して発信するための設定を行う。具体的には、図６を参照しながら説明する。
【００３７】
図６は、移動通信端末２ｂのディスプレイの表示の一例を示す図である。図６（ａ）に示すように、移動通信端末２ｂのディスプレイＤには、不在着信履歴が表示されている。この不在着信履歴において、例えば「５／２８  １６：００  Ｘさん（非通知設定）」がユーザによって選択された場合には、図６（ｂ）の画面に遷移する。図６（ｂ）には、上記の内容の他に、「発信」、「非通知発信」及び「削除」の項目が表示されている。なお、移動通信端末２ｂには、テンポラリＩＤ（例えば、＃から始まる５桁の文字列）に応じて割り振られる所定の表示情報（例えば「Ｘさん」、「Ｙさん」等）が予め保持されており、同一のテンポラリＩＤに対しては同一の表示情報がディスプレイＤに表示される。もちろん、テンポラリＩＤ自体がディスプレイＤに表示されてもよい。
【００３８】
折り返し発信設定部２０６は、図６（ｂ）の画面において、「発信」又は「非通知発信」がユーザによって選択された場合には、折り返し発信を指示する折り返し発信要求情報を生成する。この折り返し発信要求情報は、発信要求受信部２０５によって受信された発信要求情報に含まれているテンポラリＩＤに基づいて生成されるものである。また、折り返し発信要求部２０６は、「非通知発信」がユーザによって選択された場合には、上述の非通知設定情報を含んだ折り返し発信要求情報を生成する。折り返し発信設定部２０６は、生成した折り返し発信要求情報を折り返し発信要求送信部２０７に出力する。なお、図６（ａ）において、「削除」が選択された場合には、不在着信履歴から該当する着信履歴が削除される。
【００３９】
折り返し発信要求送信部２０７は、折り返し発信要求情報をＣＳＣＦ４ｂに送信する部分である。折り返し発信要求送信部２０７は、折り返し発信設定部２０６から出力された折り返し発信要求情報を受け取ると、この折り返し発信要求情報をＲＮＣ３ｂを介してＣＳＣＦ４ｂに送信する。
【００４０】
続いて、ＣＳＣＦ４ａ，４ｂについて図７及び図８を参照しながら説明する。ＣＳＣＦ４ａ，４ｂは、移動通信２ａ，２ｂと同様に、発信側か着信側かによって制御が異なる。そこで、ＣＳＣＦ４ａ，４ｂを発信側と着信側とに分けて説明する。以下の説明では、移動通信端末２ａを発信端末としてＣＦＣＳ４ａを発信側とし、移動通信端末２ｂを着信端末としてＣＳＣＦ４ｂを着信側とする。もちろん、ＣＳＣＦ４ａ，４ｂは、いずれの機能も有している。なお、ＣＳＣＦ４ａ，４ｂにおいて実行される以下の制御は、例えばＩＭＳ上のＡＳやサーバ装置等で実行されてもよい。
【００４１】
（発信側ＣＳＣＦの構成）
図７は、ＣＳＣＦ４ａの構成を示すブロック図である。同図に示すように、発信側のＣＳＣＦ４ａは、発信要求受信部（第１発信要求受信手段）４０１と、要求送信部４０２と、テンポラリＩＤ受信部４０３と、ユーザ情報確認部４０４と、発信要求送信部（第２発信要求送信手段）４０５と、呼接続確立部（応答情報受信手段、呼接続確立手段）４０６とを備えている。
【００４２】
発信要求受信部４０１は、移動通信端末２ａからの発信に応じて送信される発信要求情報（第１発信要求情報）を受信する部分である。この発信要求情報には、発信側の移動通信端末２ａの電話番号及び着信側の移動通信端末２ｂの電話番号を含むユーザ識別子が含まれている。発信要求受信部４０１は、受信した発信要求情報を要求送信部４０２、ユーザ情報確認部４０４及び発信要求送信部４０５に出力する。また、発信要求受信部４０１は、後述する着信側のＣＳＣＦ４ｂから送信される発信要求情報（第４発信要求情報）を受信する。発信要求受信部４０１は、着信側のＣＳＣＦ４ｂから受信した発信要求情報を発信要求送信部４０５に出力する。
【００４３】
要求送信部４０２は、発信要求情報をＩＤ管理装置６に送信する部分である。要求送信部４０２は、発信要求受信部４０１から発信要求情報を受け取ると、この発信要求情報をＩＤ管理装置６に送信する。
【００４４】
テンポラリＩＤ受信部４０３は、ＩＤ管理装置６から送信されるテンポラリＩＤを受信する部分である。テンポラリＩＤ受信部４０３は、要求送信部４０２から発信要求情報が送信されたことに応じてＩＤ管理装置６から送信されるテンポラリＩＤを受信する。テンポラリＩＤ受信部４０３は、受信したテンポラリＩＤを発信要求送信部４０５に出力する。
【００４５】
ユーザ情報確認部４０４は、移動通信端末２ａのユーザ情報を確認する部分である。ユーザ情報確認部４０４は、発信要求受信部４０１から発信要求情報を受信すると、この発信要求情報に含まれるユーザ識別子に基づいてＨＳＳ５ａにアクセスし、ＨＳＳ５ａからそのユーザ識別子を含むプロファイル（ＣＳＣＦアドレス情報等）を取得して確認する。ユーザ情報確認部４０４は、取得したプロファイルを発信要求送信部４０５に出力する。
【００４６】
発信要求送信部４０５は、着信側のＣＳＣＦ４ｂに発信要求情報を送信する部分である。発信要求受信部４０５は、テンポラリＩＤ受信部４０３から出力されたテンポラリＩＤ及びユーザ情報確認部４０４から出力されたプロファイルを受け取ると、テンポラリＩＤを発信要求受信部４０１から出力された発信要求情報に付加し、プロファイルに応じたＣＳＣＦ４ｂにその発信要求情報を送信する。また、発信要求送信部４０５は、テンポラリＩＤ受信部４０３からテンポラリＩＤが出力されない場合には、発信要求受信部４０１から出力された発信要求情報をそのままＣＳＣＦ４ｂに送信する。
【００４７】
また、発信要求送信部４０５は、発信要求受信部４０１が着信側のＣＳＣＦ４ｂから送信されて受信した発信要求情報を発信要求受信４０１から受け取った場合には、その発信要求情報を移動通信端末２ａに送信する。
【００４８】
呼接続確立部４０６は、発信要求送信部４０５から発信要求情報が送信された移動通信端末２ａから、当該発信要求情報に対する応答情報を受信して、応答を行った移動通信端末２ａと移動通信端末２ｂとの間の呼接続を確立させる部分である。呼接続確立部４０６による呼制御により、移動通信端末２ａと移動通信端末２ｂ端末との間に呼接続が確立して、電話通信が行われる。呼接続確立部４０６は、呼接続を確立させると、その旨を示す呼接続確立情報をＩＤ管理装置６に送信する。
【００４９】
（着信側ＣＳＣＦの構成）
続いて、着信側のＣＦＣＳ４ｂの構成について説明する。図８は、着側ＣＳＣＦ４ｂの構成を示すブロック図である。同図に示すように、着信側のＣＳＣＦ４ｂは、発信要求受信部４０７と、番号破棄部４０８と、発信要求送信部（第１発信要求送信手段）４０９と、折り返し発信要求受信部（第２発信要求受信手段）４１０と、番号要求部４１１と、番号受信部４１２と、ユーザ情報確認部４１３と、折り返し発信要求送信部（第２発信要求送信手段）４１４とを備えている。
【００５０】
発信要求受信部４０７は、発信側のＣＳＣＦ４ａから発信要求受信情報を受信する部分である。発信要求受信部４０７は、受信した発信要求情報にテンポラリＩＤが含まれている場合には、発信要求情報を番号破棄部４０８に出力する。一方、発信要求受信部４０７は、受信した発信要求情報にテンポラリＩＤが含まれていない場合には、発信要求情報を発信要求送信部４０９に出力する。
【００５１】
番号破棄部４０８は、発信側の移動通信端末２ａの電話番号（ユーザ識別子）を破棄する部分である。番号破棄部４０８は、発信要求受信部４０７から出力された発信要求情報を受け取ると、この発信要求情報に含まれるテンポラリＩＤに紐付けられている発信側の移動通信端末２ａの電話番号を破棄する。番号破棄部４０８は、移動通信端末２ａの電話番号を破棄した発信要求情報を発信要求送信部４０９に出力する。
【００５２】
発信要求送信部４０９は、移動通信端末２ｂに発信要求情報（第２発信要求情報）を送信する部分である。発信要求送信部４０９は、番号破棄部４０８から出力された発信要求情報を受け取ると、この発信要求情報を移動通信端末２ｂに送信する。また、発信要求送信部４０９は、発信要求受信部４０７から出力された発信要求情報を受け取ると、この発信要求情報を移動通信端末２ｂに送信する。
【００５３】
折り返し発信要求受信部４１０は、移動通信端末２ｂから折り返しの発信要求を受信する部分である。折り返し発信要求受信部４１０は、発信要求送信部４０９から発信要求情報が送信された後に、移動通信端末２ｂからテンポラリＩＤ宛てで送信された折り返し発信要求情報（第３発信要求情報）を受信する。すなわち、折り返し発信要求受信部４１０は、移動通信端末２ｂの不在着信履歴から非通知設定に対して送信される折り返し発信要求情報を受信する。折り返し発信要求受信部４１０は、受信した折り返し発信要求情報を番号要求部４１１に出力する。
【００５４】
番号要求部４１１は、移動通信端末２ａの電話番号をＩＤ管理装置６に要求する部分である。番号要求部４１１は、折り返し発信要求受信部４１０から出力された折り返し発信要求情報を受け取ると、テンポラリＩＤに紐付けられた発信側の移動通信端末２ａの電話番号を要求するための番号要求情報を生成し、この番号要求情報を含んだ発信要求情報をＩＤ管理装置６に送信する。なお、番号要求情報には、テンポラリＩＤが含まれている。
【００５５】
番号受信部４１２は、ＩＤ管理装置６から電話番号を示す番号情報を受信する部分である。番号受信部４１２は、番号要求部４１１により発信要求情報を送信したことに応じてＩＤ管理装置６から送信される電話番号を示す番号情報を受信して取得する。番号受信部４１２は、取得した番号情報をユーザ情報確認部４１３及び折り返し発信要求送信部４１４に出力する。
【００５６】
ユーザ情報確認部４１３は、移動通信端末２ｂのユーザ情報を確認する部分である。ユーザ情報確認部４１３は、番号受信部４１２から番号情報を受信すると、この番号情報が示すユーザ識別子に基づいてＨＳＳ５ｂにアクセスし、ＨＳＳ５ｂからそのユーザ識別子を含むプロファイル（ＣＳＣＦアドレス情報等）を取得して確認する。ユーザ情報確認部４１３は、取得したプロファイルを発信要求送信部４１４に出力する。
【００５７】
折り返し発信要求送信部４１４は、発信要求情報（第４発信要求情報）をＣＳＣＦ４ａに送信する部分である。折り返し発信要求送信部４１４は、番号受信部４１２から出力された番号情報及びユーザ情報確認部４１３から出力されたプロファイルを受け取ると、番号情報に基づいて発信要求情報を生成し、プロファイルに応じたＣＳＣＦ４ａに生成した発信要求情報を送信する。
【００５８】
続いて、ＩＤ管理装置６について図９を参照しながら説明する。図９は、ＩＤ管理装置６の構成を示すブロック図である。同図に示すように、ＩＤ管理装置６は、受信部（呼接続情報受信手段）６０１と、判断部６０２と、テンポラリＩＤ生成部６０３と、デー手保持部（識別情報保持手段）６０４と、有効性確認処理部（有効性確認処理手段、制限情報更新手段）６０５と、番号変換部（電話番号取得手段）６０６と、ＩＤ削除部６０７と、送信部６０８とを備えている。
【００５９】
受信部６０１は、ＣＳＣＦ４ａから各種情報を受信する部分である。要求受信部６０１は、ＣＳＣＦ４ａから送信された発信要求情報を受信すると、この発信要求情報を判断部６０２に出力する。また、受信部６０１は、ＣＳＣＦ４ｂから送信された発信要求情報を受信すると、この発信要求情報を判断部６０２に出力する。また、受信部６０１は、ＣＳＣＦ４ａから送信された呼接続確立情報を受信すると、この呼接続確立情報を有効性確認処理部６０５に出力する。
【００６０】
判断部６０２は、移動通信端末２ａにおいて自機の電話番号の非通知設定がなされているかを判断する部分である。判断部６０２は、受信部６０１から発信要求情報（ＣＳＣＦ４ａ送信）を受け取ると、この発信要求情報に非通知設定情報が含まれているか否かを判断する。判断部６０２は、発信要求情報に非通知設定情報が含まれている、すなわち非通知番号（１８４）が含まれていると判断した場合には、テンポラリＩＤの生成を指示するＩＤ生成情報をテンポラリＩＤ生成部６０３に出力する。なお、ＩＤ生成情報には、移動通信端末２ａ，２ｂの電話番号及び非通知設定情報に含まれる制限情報が含まれている。また、判断部６０２は、発信要求情報に非通知設定情報が含まれてないと判断した場合には、発信要求情報を送信部６０８に出力する。
【００６１】
また、判断部６０２は、受信部６０１から出力された発信要求情報（ＣＳＣＦ４ｂ送信）を受け取ると、この発信要求情報にテンポラリＩＤが含まれているか否かを判断する。判断部６０２は、発信要求情報にテンポラリＩＤが含まれていると判断した場合には、番号要求情報を含む発信要求情報を有効性確認処理部６０５に出力する。一方、判断部６０２は、発信要求情報にテンポラリＩＤが含まれていないと判断した場合には、この発信要求情報を送信部６０８に出力する。
【００６２】
テンポラリＩＤ生成部６０３は、テンポラリＩＤを生成する部分である。テンポラリＩＤ生成部６０３は、判断部６０２から出力されたＩＤ生成情報を受け取ると、このＩＤ生成情報に応じてテンポラリＩＤを生成する。具体的には、テンポラリＩＤ生成部６０３は、ユニークな文字列（図１０参照）を生成すると共に、ＩＤ生成情報に含まれる移動通信端末２ａの電話番号及び移動通信端末２ｂの電話番号と制限情報とをそのテンポラリＩＤに対応付ける。テンポラリＩＤ生成部６０３は、生成したテンポラリＩＤを送信部６０８に出力する。また、テンポラリＩＤ生成部６０３は、各種情報を対応付けたテンポラリＩＤをデータ保存部６０４に出力する。
【００６３】
データ保持部６０４は、テンポラリＩＤ生成部６０３によって生成されたテンポラリＩＤを含むデータを記憶する部分である。データ保持部６０４は、テンポラリＩＤ生成部６０３から出力されたテンポラリＩＤを受け取ると、そのテンポラリＩＤをテーブルに格納して保持する。図１０は、データ保存部６０４に記憶されているデータの一例を示す図である。同図に示すように、データ保持部６０４には、「発信者」、「着信者」、「テンポラリＩＤ」、「有効回数」、及び「有効期限」が対応付けられて記憶されている。例えば、データ保持部６０４には、発信者「０９０−２２２２−ＡＡＡＡ」、着信者「０９０−１１１１−ＡＡＡＡ」、テンポラリＩＤ「＃１１１１」、有効回数「３回」、有効期限「なし」が対応付けられて記憶されている。データ保持部６０４は、テンポラリＩＤ生成部６０３からテンポラリＩＤが出力された場合や、ＩＤ削除部６０７によりテンポラリＩＤが削除されることによりデータが更新される。なお、データ保持部６０４におけるデータにおいては、「発信者」、「着信者」及び「テンポラリＩＤ」は基本情報であり、「有効回数」及び「有効期限」は付加情報（制限情報）である。
【００６４】
有効性確認処理部６０５は、テンポラリＩＤの有効性を確認する部分である。有効性確認処理部６０５は、判断部６０２から出力された発信要求情報を受け取ると、その発信要求情報の番号要求情報に含まれるテンポラリＩＤに対応付けられた制限情報（折り返し情報、回数情報及び期限情報）についての有効性の確認処理を行う。具体的には、有効性確認処理部６０５は、番号要求情報を受け取るとテンポラリＩＤに基づいてデータ保存部６０４を参照する。そして、有効性確認処理部６０５は、テンポラリＩＤに対応する「有効回数」を抽出し、テンポラリＩＤを受け取った回数がその「有効回数」を超えていないかを判定する。また、有効性確認処理部６０５は、テンポラリＩＤに対応する「有効期限」を抽出し、テンポラリＩＤを受け取った日時がその「有効期限」を超えていないかを判定する。有効性確認処理部６０５は、判定結果がＯＫの場合には、その旨を示す確認情報を番号変換部６０６に出力する。また、有効性確認処理部６０５は、判定結果がＮＧの場合には、制御部（図示しない）に呼接続を中断させる中断情報を出力すると共に、該当するテンポラリＩＤを削除することを指示する削除情報をＩＤ削除部６０７に出力する。
【００６５】
また、有効性確認処理部６０５は、受信部６０１から呼接続確立情報を受け取ると、データ保持部６０４における有効回数（制限情報）を更新する。具体的には、有効性確認処理部６０５は、呼接続確立情報に含まれる移動通信端末２ａ，２ｂのプロファイルに基づいて、データ保持部６０４を参照し、そのプロファイルに対応するテンポラリＩＤの「有効回数」を減算する。すなわち、「有効回数」が例えば「３回」の場合には、「２回」にする。このとき、有効性確認処理部６０５は、「有効回数」が「０回」になった場合には、該当するテンポラリＩＤの情報の削除を指示する削除情報をＩＤ削除部６０７に出力する。
【００６６】
番号変換部６０６は、テンポラリＩＤを電話番号に変換する部分である。番号変換部６０６は、有効性確認処理部６０５から出力された確認情報を受け取ると、データ保持部６０４を参照してテンポラリＩＤに紐付けられている「発信者」の電話番号を抽出し、テンポラリＩＤをその「発信者」の電話番号に変換する。番号変換部６０６は、変換した電話番号を示す番号情報を送信部６０８に出力する。
【００６７】
ＩＤ削除部６０７は、テンポラリＩＤを削除する部分である。ＩＤ削除部６０７は、有効性確認処理部６０５から出力された削除情報を受け取ると、その削除情報に対応するテンポラリＩＤをデータ保持部６０４から削除する。
【００６８】
送信部６０８は、ＣＳＣＦ４ａ，４ｂに各種情報を送信する部分である。送信部６０８は、判断部６０２から出力された発信要求情報を受け取ると、この発信要求情報をＣＳＣＦ４ａに送信する。また、送信部６０８は、番号変換部６０６から出力された番号情報を受け取ると、この番号情報を含む発信要求情報をＣＳＣＦ４ｂに送信する。また、送信部６０８は、受信部６０１から発信要求情報を受け取ると、この発信要求情報をＣＳＣＦ４ｂに送信する。
【００６９】
図１１及び図１２は、通信制御システム１における処理（通信制御方法）を示すシーケンス図である。図１３は、ＩＤ管理装置６における有効性確認処理を示すフローチャートである。これらの処理は、移動通信端末２ａから移動通信端末２ｂに発信された際、移動通信端末２ｂが応答せずに、その後移動通信端末２ｂから移動通信端末２ａへと折り返し発信されて通話が確立されるまでの処理である。
【００７０】
図１１に示すように、まず移動通信端末２ａから移動通信端末２ｂへの発信の要求に応じて、移動通信端末２ａの発信要求送信部２０２からＣＳＣＦ４ａに発信要求情報が送信される（ステップＳ０１）。この発信要求情報がＣＳＣＦ４ａの発信要求受信部４０１において受信されると、その発信要求情報がＣＳＣＦ４ａの要求送信部４０２からＩＤ管理装置６に送信される（ステップＳ０２）。
【００７１】
次に、ＣＳＣＦ４ａの要求送信部４０２から送信された発信要求情報がＩＤ管理装置６の受信部６０１において受信されると、ＩＤ管理装置６の判断部６０２において、テンポラリＩＤを生成するか否か、すなわち発信要求情報に非通知設定情報が含まれているか否かが判定される（ステップＳ０３）。発信要求情報に非通知設定情報が含まれていると判断された場合には、ステップＳＳ０４に進む。一方、発信要求情報に非通知設定情報が含まれていないと判断された場合には、ステップＳ０５に進む。
【００７２】
ステップＳ０４では、ＩＤ管理装置６のテンポラリＩＤ生成部６０３においてテンポラリＩＤが生成されると共に、そのテンポラリＩＤがデータ保持部６０４に保持される。そして、生成されたテンポラリＩＤを含む発信要求情報が、ＩＤ管理装置６の送信部６０８からＣＳＣＦ４ａに送信される（ステップＳ０５）。
【００７３】
続いて、ＩＤ管理装置６の送信部６０８から送信された発信要求情報がＣＳＣＦ４ａのテンポラリＩＤ受信部４０３において受信されると、その発信要求情報がＣＳＣＦ４ａの発信要求送信部４０５からＣＳＣＦ４ｂに送信される（ステップＳ０６）。この発信要求情報がＣＳＣＦ４ｂの発信要求受信部４０７において発信要求情報が受信されると、発信要求情報に含まれるテンポラリＩＤにおける移動通信端末２ａの電話番号が番号破棄部４０８によって破棄され、移動通信端末２ａの電話番号を含まない発信要求情報がＣＳＣＦ４ｂの発信要求送信部４０９から移動通信端末２ｂに送信される（ステップＳ０７）。そして、ＣＳＣＦ４ｂの発信要求送信部４０９から送信された発信要求情報を発信要求受信部２０５によって受信した移動通信端末２ｂにおいては、制御部によって着信制御が実行される。このとき、移動通信端末２ｂでは、着信に対して不応答とする（ステップＳ０８）。
【００７４】
続いて、図１２に示すように、移動通信端末２ｂの折り返し発信要求送信部２０７からテンポラリＩＤ宛の発信の要求に応じて折り返し発信要求情報がＣＳＣＦ４ｂに送信される（ステップＳ０９）。この折り返し発信要求情報がＣＳＣＦ４ｂの折り返し発信要求受信部４１０において受信されると、発信要求情報がＣＳＣＦ４ｂの番号要求部４１１からＩＤ管理装置６に送信される（ステップ１０）。
【００７５】
次に、ＣＳＣＦ４ｂの番号要求部４１１から送信された発信要求情報がＩＤ管理装置６の受信部６０１において受信されると、有効性確認処理が判断部６０２及び有効性確認処理部６０５によって実施される（ステップＳ１１）。有効性確認処理について、図１１を参照しながら説明する。
【００７６】
図１３に示すように、有効性確認処理が実施されると、まず発信要求情報にテンポラリＩＤが含まれているか否か（テンポラリＩＤの有無）が判断部６０２によって判定される（ステップＳ２１）。テンポラリＩＤが含まれていると判定された場合には、ステップＳ２２に進む。一方、テンポラリＩＤが含まれていないと判定された場合には、通常の発信制御が実行される。
【００７７】
ステップＳ２２では、テンポラリＩＤに有効性が有るか否かが折返情報に基づいて有効性確認部６０５によって判定される。テンポラリＩＤに有効性があると判定された場合には、ステップＳ２３に進む。一方、テンポラリＩＤに有効性が無いと判定された場合には、通話不成立として呼接続の中断処理が実行される。
【００７８】
ステップＳ２３では、テンポラリＩＤにおいて有効回数以内であるか否かが回数情報に基づいて有効性確認部６０５によって判定される。有効回数以内であると判定された場合には、ステップＳ２４に進む。一方、有効回数以内でないと判定された場合には、通話不成立として呼接続の中断処理が実行される。
【００７９】
ステップＳ２４では、テンポラリＩＤにおいて有効期限内であるか否かが期限情報に基づいて有効性確認部６０５によって判定される。有効期限内であると判定された場合には、テンポラリＩＤに基づいて、番号変換部６０６よって当該テンポラリＩＤが移動通信端末２ａの電話番号に変換される（ステップＳ２５）。一方、有効期限内ではいと判定された場合には、通話不成立として呼接続の中断処理が実行される。以上ように、有効性確認処理が実施される。
【００８０】
図１２に戻って、上述のように有効性確認処理が実施されると、ＩＤ管理装置６の送信部６０８からＣＳＣＦ４ｂに番号情報を含む発信要求情報が送信される（ステップＳ１２）。この発信要求情報がＣＳＣＦ４ｂの番号受信部４１２において受信されると、その発信要求情報がＣＳＣＦ４ｂの折り返し発信要求送信部４１４からＣＳＣＦ４ａに送信され（ステップＳ１３）、その発信要求情報がＣＳＣＦ４ａの発信要求送信部４０５から移動通信端末２ａに送信される（ステップＳ１４）。そして、発信要求情報が発信要求受信部２０３によって受信された移動通信端末２ａにおいて発信要求情報に応じた着信に応答がなされると（ステップＳ１５）、移動通信端末２ａの応答部２０４からＣＳＣＦ４ａに応答情報が送信される（ステップＳ１６）。この応答情報がＣＳＣＦ４ａの呼接続確立部４０６において受信されると、ＣＳＣＦ４ａの呼接続確立部４０６によって移動通信端末２ａと移動通信端末２ｂとの呼接続が確立される（ステップＳ１７）。
【００８１】
そして、移動通信端末２ａと移動通信端末２ｂとの呼接続の確立に応じてＣＳＣＦ４ａの呼接続確立部４０６からＩＤ管理装置６に呼接続完了情報（通信確立通知）が送信され（ステップＳ１８）、この呼接続完了情報を受信したＩＤ管理装置６の有効性確認処理部６０５において、テンポラリＩＤの有効回数の更新が行われる（ステップＳ１９）。
【００８２】
なお、ステップＳ０８において移動通信端末２ｂが着信に応答した場合には、移動通信端末２ｂからＣＳＣＦ４ｂに応答情報が送信され、この応答情報を受信したＣＳＣＦ４ｂにおいて移動通信端末２ａと移動通信端末２ｂとの呼接続の確立処理が実行される。そして、呼接続の確立に応じて、その旨を示す呼接続確立情報がＣＳＣＦ４ｂからＩＤ管理装置６に送信される。これにより、ＩＤ管理装置６において呼接続確立情報に応じたテンポラリＩＤが削除される。
【００８３】
以上説明したように、通信制御システム１では、移動通信端末２ａから移動通信端末２ｂに発信された際、発信要求情報に非通知設定情報が含まれている場合には、移動通信端末２ａの電話番号を一意に特定可能にするテンポラリＩＤをＩＤ管理装置６のテンポラリＩＤ生成部６０３が生成し、このテンポラリＩＤに基づいて移動通信端末２ａの電話番号を含まない発信要求情報をＣＳＣＦ４ｂの折り返し発信要求送信部４１４が生成して、この発信要求情報を移動通信端末２ｂに送信する。そして、移動通信端末２ｂの折り返し発信要求送信部２０７が不在着信履歴からテンポラリＩＤを宛先として発信すると、そのテンポラリＩＤに基づいてＩＤ管理装置６がデータ保持部６０５を参照して移動通信端末２ａの電話番号を取得し、ＣＳＣＦ４ａの発信要求送信部４０５から移動通信端末２ａに発信要求情報が送信される。従って、移動通信端末２ｂでは、移動通信端末２ａから非通知設定で着信を受けた場合において、移動通信端末２ａの電話番号を知らなくても、テンポラリＩＤに基づいてＩＤ管理装置６により移動通信端末２ａの電話番号が取得されてＣＳＣＦ４ａから移動通信端末２ａに発信要求情報が送信されるので、テンポラリＩＤ宛てに発信することで移動通信端末２ａに折り返し発信することが可能となる。また、移動通信端末２ａでは、移動通信端末２ｂに自機の電話番号を通知しなくとも、折り返し電話を受けることができる。従って、匿名性を確保しつつ、利便性の向上を図ることができる。
【００８４】
また、本実施形態では、非通知設定情報には、移動通信端末２ｂから移動通信端末２ａへの発信を制限するための制限情報が更に含まれており、折り返し発信要求受信部４１０によって折り返し発信要求情報が受信され、非通知設定情報に含まれている制限情報の有効性を確認する有効性確認部６０５制限情報の有用性が確認された場合に、番号変換部６０６によってテンポラリＩＤを移動通信端末２ａの電話番号に変換するので、移動通信端末２ｂから移動通信端末２ａへの折り返し発信が制限され、例えば制限情報において折り返し発信の有効回数が１回に制限されている場合には、移動通信端末２ｂから移動通信端末２ａへの折り返し発信が１回に限定される。これにより、必要以上に折り返し発信が行われることを防止できるので、更に利便性の向上を図ることができる。
【００８５】
また、移動通信端末２ｂから移動通信端末２ｂへの折り返し発信において、移動通信端末２ａと移動通信端末２ｂとの呼接続が確立した場合には、制限情報（回数情報）が有効性確認処理部６０５によって更新されるので、必要以上に第２の移動通信から第１の移動通信端末への折り返し発信が行われることを防止することができる。従って、更に利便性の向上を図ることができる。
【００８６】
本発明は、上記実施形態に限られるわけではない。例えば、上記実施形態では、非通知設定情報に制限情報（折り返し情報、回数情報及び期限情報）が含まれているが、制限情報は必ずしも含まれなくてよい。
【００８７】
また、上記実施形態では、呼接続確立部４０６によって移動通信端末２ａと移動通信端末２ｂの呼接続が確立された場合に、テンポラリＩＤの有効回数の更新が行われているが、テンポラリＩＤの更新は上記の方法に限定されない。例えば、図１４に示すように、移動通信端末２ａにおいて「発信後の設定変更」の「非通知発信ＩＤ削除」が選択されると、テンポラリＩＤの削除を指示する削除情報がＣＳＣＦ４ａに送信され、そしてＣＳＣＦ４ａからＩＤ管理装置６に削除情報が送信されてＩＤ管理装置６のＩＤ削除部６０７によりテンポラリＩＤが削除されてもよい。
【００８８】
また、上記実施形態に加えて、非通知設定情報に含まれる制限情報は、発信時だけでなく、発信後にも設定を変更できる構成であってもよい。例えば、図１４に示すように、移動通信端末２ｂへの発信を行った後の移動通信端末２ａにおいて「発信後の設定変更」の「折り返し回数変更」が選択されると、プルダウンメニューが表示されて回数の変更を行う。これにより、発信後においても、折り返し発信の有効回数を変更することができる。
【符号の説明】
【００８９】
１…通信制御システム、２ａ，２ｂ…移動通信端末（第１の移動通信端末、第２の移動通信端末）、４ａ，４ｂ…ＣＳＣＦ、６…ＩＤ管理装置、４０１…発信要求受信部（第１発信要求受信手段）、４０５…発信要求送信部（第２発信要求送信手段）、４０６…呼接続確立部（応答情報受信手段、呼接続確立手段）、４０９…発信要求送信部（第１発信要求送信手段）、４１０…折り返し発信要求受信部（第２発信要求受信手段）、４１４…折り返し発信要求送信部（第２発信要求送信手段）、６０１…受信部（呼接続情報受信手段）、６０２…判断部（判断手段）、６０３…テンポラリＩＤ生成部（識別情報生成手段）、６０４…データ保持部（識別情報保持手段）、６０５…有効性確認処理部（有効性確認処理手段、制限情報更新手段）、６０６…番号変換部（電話番号取得手段）。
【図１】
2011071741.tif 000003
【図２】
2011071741.tif 000004
【図３】
2011071741.tif 000005
【図４】
2011071741.tif 000006
【図５】
2011071741.tif 000007
【図６】
2011071741.tif 000008
【図７】
2011071741.tif 000009
【図８】
2011071741.tif 000010
【図９】
2011071741.tif 000011
【図１０】
2011071741.tif 000012
【図１１】
2011071741.tif 000013
【図１２】
2011071741.tif 000014
【図１３】
2011071741.tif 000015
【図１４】
2011071741.tif 000016